(57)【特許請求の範囲】
【請求項１】
無線通信システムにおいて端末が基地局からＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を受信する方法であって、
前記ＥＰＤＣＣＨのための少なくとも一つのリソースブロック集合において、ＥＰＤＣＣＨ候補をモニタして前記ＥＰＤＣＣＨを受信するステップを含み、
前記ＥＰＤＣＣＨ候補のそれぞれに含まれたＥＣＣＥ（Ｅｎｈａｎｃｅｄ  Ｃｏｎｔｒｏｌ  Ｃｈａｎｎｅｌ  Ｅｌｅｍｅｎｔ）の個数は、集成レベルであり、
特定集成レベルの一つの搬送波のためのそれぞれの前記ＥＰＤＣＣＨ候補間の間隔は、フロア（ｆｌｏｏｒ）（第１の値）に基づいて決定され、前記フロア（ｆｌｏｏｒ）は切り捨て関数であり、
前記少なくとも一つのリソースブロック集合に含まれたＥＣＣＥの総数を、前記特定集成レベルの前記ＥＰＤＣＣＨ候補の個数で割った値に基づいて、前記第１の値が決定される、方法。
【請求項２】
前記特定集成レベルの一つの搬送波のためのそれぞれの前記ＥＰＤＣＣＨ候補間の間隔は、式Ａによって決定される、請求項１に記載の方法。
【数１】
0005973652.tif 000032
【請求項３】
前記特定集成レベルの他の搬送波のためのＥＰＤＣＣＨ候補＃ｍの位置は、前記特定集成レベルの前記一つの搬送波のための前記ＥＰＤＣＣＨ候補＃ｍの位置にオフセット値を適用することにより決定される、請求項１に記載の方法。
【請求項４】
前記オフセット値は、前記他の搬送波の搬送波インデックスｎＣＩに基づいて決定される、請求項３に記載の方法。
【請求項５】
前記特定集成レベルＬの前記ＥＰＤＣＣＨ候補＃ｍの位置は、式Ｂによって決定される、請求項１に記載の方法。
【数２】
0005973652.tif 000033
【請求項６】
前記ＥＰＤＣＣＨ候補＃ｍが前記一つの搬送波に関するものであれば、前記オフセット値は０であり、
前記ＥＰＤＣＣＨ候補＃ｍが他の搬送波に関するものであれば、前記オフセット値は前記他の搬送波の前記搬送波インデックスｎＣＩに設定される、請求項５に記載の方法。
【請求項７】
前記変数Ｙｐ、ｋは、式Ｃによって定義される、請求項６に記載の方法。
【数３】
0005973652.tif 000034
【請求項８】
無線通信システムにおける端末であって、
ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）のための少なくとも一つのリソースブロック集合において、ＥＰＤＣＣＨ候補をモニタして、前記ＥＰＤＣＣＨを受信するよう構成されたプロセッサを備え、
前記ＥＰＤＣＣＨ候補のそれぞれに含まれたＥＣＣＥ（Ｅｎｈａｎｃｅｄ  Ｃｏｎｔｒｏｌ  Ｃｈａｎｎｅｌ  Ｅｌｅｍｅｎｔ）の個数は、集成レベルに対応し、
前記プロセッサは、特定集成レベルの一つの搬送波のための前記ＥＰＤＣＣＨ候補間の間隔を、フロア（ｆｌｏｏｒ）（第１の値）に基づいて決定し、前記フロア（ｆｌｏｏｒ）は切り捨て関数であり、
前記少なくとも一つのリソースブロック集合に含まれたＥＣＣＥの総数を、前記特定集成レベルの前記ＥＰＤＣＣＨ候補の個数で割った値に基づいて、前記第１の値が決定される、端末。
【請求項９】
前記プロセッサは、
前記特定集成レベルの前記一つの搬送波のための前記ＥＰＤＣＣＨ候補間の間隔を、式Ａによって決定する、請求項８に記載の端末。
【数４】
0005973652.tif 000035
【請求項１０】
前記プロセッサは、
前記特定集成レベルの他の搬送波のためのＥＰＤＣＣＨ候補＃ｍの位置を、前記特定集成レベルの前記一つの搬送波のための前記ＥＰＤＣＣＨ候補＃ｍの位置にオフセット値を適用することにより決定する、請求項８に記載の端末。
【請求項１１】
前記オフセット値は、前記他の搬送波の搬送波インデックスｎＣＩに基づいて決定される、請求項１０に記載の端末。
【請求項１２】
前記プロセッサは、
前記特定集成レベルＬの前記ＥＰＤＣＣＨ候補＃ｍの位置を、式Ｂによって決定する、請求項１１に記載の端末。
【数５】
0005973652.tif 000036
【請求項１３】
前記ＥＰＤＣＣＨ候補＃ｍが前記一つの搬送波に関するものであれば、前記オフセット値は０であり、
前記ＥＰＤＣＣＨ候補＃ｍが前記他の搬送波に関するものであれば、前記オフセット値は前記他の搬送波の前記搬送波インデックスｎＣＩに設定される、請求項１２に記載の端末。
【請求項１４】
前記変数Ｙｐ、ｋは、式Ｃによって定義される、請求項１３に記載の端末。
【数６】
0005973652.tif 000037
【発明の詳細な説明】
【技術分野】
【０００１】
本発明は、無線通信システムに関し、特に、無線通信システムにおいて下りリンク制御チャネルのための検索領域を設定する方法及びそのための装置に関する。
【背景技術】
【０００２】
本発明を適用し得る無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容についてはそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．４４、３、５、１０、１５、２０ＭＨｚなどの帯域幅のいずれか一つに設定され、複数の端末に対して下り又は上り送信サービスを提供する。異なったセルは互いに異なった帯域幅を提供するように設定することができる。基地局は、複数の端末に関するデータ送受信を制御する。下りリンク（Ｄｏｗｎｌｉｎｋ；ＤＬ）データについて、基地局は下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
上述したような議論に基づき、以下では無線通信システムにおいて下りリンク制御チャネルのための検索領域を設定する方法及びそのための装置を提案する。
【課題を解決するための手段】
【０００８】
本発明の一実施例である、無線通信システムにおいて端末が基地局からＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を受信する方法は、前記ＥＰＤＣＣＨのための少なくとも一つのリソースブロック集合において、一つ以上のＥＣＣＥ（Ｅｎｈａｎｃｅｄ  Ｃｏｎｔｒｏｌ  Ｃｈａｎｎｅｌ  Ｅｌｅｍｅｎｔ）で構成されたＥＰＤＣＣＨ候補をモニタして前記ＥＰＤＣＣＨを受信するステップを含み、前記ＥＰＤＣＣＨ候補のそれぞれを構成するＥＣＣＥの個数は、集成レベルに対応し、前記少なくとも一つのリソースブロック集合内で、特定集成レベルである一つの搬送波のための前記ＥＰＤＣＣＨ候補間の間隔は、前記少なくとも一つのリソースブロック集合のそれぞれに含まれた全体ＥＣＣＥの個数を、前記特定集成レベルと前記特定集成レベルであるＥＰＤＣＣＨ候補の個数で割った値に基づいて決定されることを特徴とする。
【０００９】
一方、本発明の他の実施例である、無線通信システムにおける端末装置は、ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）のための少なくとも一つのリソースブロック集合において、一つ以上のＥＣＣＥ（Ｅｎｈａｎｃｅｄ  Ｃｏｎｔｒｏｌ  Ｃｈａｎｎｅｌ  Ｅｌｅｍｅｎｔ）で構成されたＥＰＤＣＣＨ候補をモニタして、前記ＥＰＤＣＣＨを取得するプロセッサを備え、前記ＥＰＤＣＣＨ候補のそれぞれを構成するＥＣＣＥの個数は、集成レベルに対応し、前記プロセッサは、前記少なくとも一つのリソースブロック集合内で、特定集成レベルである一つの搬送波のための前記ＥＰＤＣＣＨ候補間の間隔を、前記少なくとも一つのリソースブロック集合のそれぞれに含まれた全体ＥＣＣＥの個数を、前記特定集成レベルと前記特定集成レベルであるＥＰＤＣＣＨ候補の個数で割った値に基づいて決定することを特徴とする。
【００１０】
上記の各実施例において、前記特定集成レベルである一つの搬送波のためのＥＰＤＣＣＨ候補間の間隔は、式Ａによって定義されてもよい。
【００１１】
【数１】
0005973652.tif 000002
【００１２】
（ここで、ＮＥＣＣＥ，ｐ、ｋは、サブフレームｋのリソースブロック集合ｐに含まれたＥＣＣＥの個数を表し、Ｌは、前記特定集成レベルを表し、Ｍｐ（Ｌ）は、前記特定集成レベルであるＥＰＤＣＣＨ候補の個数を表す。）
【００１３】
好ましくは、前記特定集成レベルである他の搬送波のためのＥＰＤＣＣＨ候補＃ｍの位置は、前記一つの搬送波のための特定集成レベルであるＥＰＤＣＣＨ候補＃ｍの位置に所定のオフセットを反映した位置と決定されてもよい。ここで、前記所定のオフセットは、前記他の搬送波の搬送波インデックスｎＣＩに基づいて決定されてもよい。
【００１４】
より好ましくは、前記特定集成レベルＬであるＥＰＤＣＣＨ候補＃ｍの位置は、下記の式Ｂによって決定されることを特徴とする。
【００１５】
【数２】
0005973652.tif 000003
【００１６】
ただし、Ｙｐ、ｋは変数であり、ＮＥＣＣＥ，ｐ、ｋは、サブフレームｋのリソースブロック集合ｐに含まれたＥＣＣＥの個数を表し、Ｍｐ（Ｌ）は、前記特定集成レベルであるＥＰＤＣＣＨ候補の個数を表し、ｂは、搬送波インデックスによるオフセットを表す。）
【００１７】
ここで、前記オフセットは、前記ＥＰＤＣＣＨ候補＃ｍが前記一つの搬送波に関するものであれば、０であり、前記ＥＰＤＣＣＨ候補＃ｍが他の搬送波に関するものであれば、前記他の搬送波の搬送波インデックスｎＣＩに設定されることを特徴とする。
【００１８】
また、前記変数Ｙｐ、ｋは、下記の式Ｃによって定義されることを特徴とする。
【００１９】
【数３】
0005973652.tif 000004
【発明の効果】
【００２０】
本発明の実施例によれば、無線通信システムにおいて下りリンク制御チャネルのための検索領域を效率的に設定することが可能になる。
【００２１】
本発明で得られる効果は、以上に言及した効果に制限されず、言及していない別の効果は、以下の記載から、本発明の属する技術の分野における通常の知識を有する者には明確に理解されるであろう。
【図面の簡単な説明】
【００２２】
【図１】無線通信システムの一例としてＥ−ＵＭＴＳネットワーク構造を概略的に示す図である。
【図２】３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を示す図である。
【図３】３ＧＰＰシステムに用いられる物理チャネル及びそれらを用いた一般の信号送信方法を説明するための図である。
【図４】ＬＴＥシステムにおいて用いられる下りリンク無線フレームの構造を例示する図である。
【図５】ＬＴＥシステムにおいて下りリンク制御チャネルを構成するために用いられるリソース単位を示す図である。
【図６】ＬＴＥシステムで用いられる上りリンクサブフレームの構造を示す図である。
【図７】搬送波集成（ｃａｒｒｉｅｒ  ａｇｇｒｅｇａｔｉｏｎ）を説明する概念図である。
【図８】次世代通信システムにおいて多重ノードシステムを例示する図である。
【図９】ＥＰＤＣＣＨ、及びＥＰＤＣＣＨによってスケジューリングされるＰＤＳＣＨを例示する図である。
【図１０】ＥＰＤＣＣＨのブラインドデコーティングのために６個のＰＲＢ対に構成されたＥＰＤＣＣＨ候補を例示する図である。
【図１１】ＥＰＤＣＣＨのブラインドデコーティングのために４個のＰＲＢ対に構成されたＥＰＤＣＣＨ候補を例示する図である。
【図１２】本発明の実施例によって搬送波集成技法が適用された環境下でＥＰＤＣＣＨのブラインドデコーティングのために６個のＰＲＢ対に構成されたＥＰＤＣＣＨ候補の一例を示す図である。
【図１３】本発明の実施例によって搬送波集成技法が適用された環境下でＥＰＤＣＣＨのブラインドデコーティングのために６個のＰＲＢ対に構成されたＥＰＤＣＣＨ候補の他の例を示す図である。
【図１４】本発明の実施例によって一つの端末のために複数のサブ検索領域が設定された例を示す図である。
【図１５】本発明の実施例によってＥＰＤＣＣＨサブ検索領域構成においてオフセットを反映する例を示す図である。
【図１６】本発明の実施例によって２つのサブ検索領域間のＥＰＤＣＣＨ候補が重なり合わないように所定の間隔が適用された例を示す図である。
【図１７】本発明の実施例によってサブ検索領域間のオフセットを適用してＥＰＤＣＣＨ候補を構成した例を示す図である。
【図１８】本発明の実施例によって２つのサブ検索領域間に２だけのオフセットを適用してＥＰＤＣＣＨ候補を構成した例を示す図である。
【図１９】本発明の実施例に係る通信装置のブロック構成図である。
【発明を実施するための形態】
【００２３】
以下に添付の図面を参照して説明される本発明の実施例から、本発明の構成、作用及び他の特徴が容易に理解されるであろう。以下に説明する実施例は、本発明の技術的特徴が３ＧＰＰシステムに適用された例である。
【００２４】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また、本明細書は、ＦＤＤ方式を基準にして本発明の実施例について説明するが、これは例示に過ぎず、本発明の実施例は、Ｈ−ＦＤＤ方式又はＴＤＤ方式にも容易に変形して適用されてもよい。
【００２５】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン及びユーザプレーンの構造を示す図である。コントロールプレーンとは、端末（ＵＥ）とネットワークとが呼を管理するために用いる制御メッセージが送信される通路のことを意味する。ユーザプレーンとは、アプリケーション層で生成されたデータ、例えば、音声データ又はインターネットパケットデータなどが送信される通路のことを意味する。
【００２６】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。該伝送チャネルを介して媒体接続制御層と物理層との間にデータが移動する。送信側の物理層と受信側の物理層との間には物理チャネルを介してデータが移動する。該物理チャネルは、時間及び周波数を無線リソースとして活用する。具体的に、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２７】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ送信を支援する。ＲＬＣ層の機能はＭＡＣ内部の機能ブロックとして具現されてもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを效率的に送信するために、余分の制御情報を減らすヘッダー圧縮（Ｈｅａｄｅｒ  Ｃｏｍｐｒｅｓｓｉｏｎ）機能を果たす。
【００２８】
第３層の最下部に位置する無線リソース制御（Ｒａｄｉｏ  Ｒｅｓｏｕｒｃｅ  Ｃｏｎｔｒｏｌ；ＲＲＣ）層は、コントロールプレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して、論理チャネル、伝送チャネル及び物理チャネルの制御を担当する。無線ベアラー（ＲＢ）とは、端末とネットワーク間のデータ伝達のために第２層によって提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続（ＲＲＣ  Ｃｏｎｎｅｃｔｅｄ）がある場合に、端末はＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にあることとなる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２９】
基地局（ｅＮＢ）を構成する一つのセルは、１．４、３、５、１０、１５、２０ＭＨｚなどの帯域幅のいずれか一つに設定され、複数の端末に対して下り又は上り送信サービスを提供する。異なったセルは互いに異なった帯域幅を提供するように設定することができる。
【００３０】
ネットワークから端末にデータを送信する下り伝送チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージは、下りＳＣＨを介して送信されてもよく、別の下りＭＣＨ（Ｍｕｌｔｉｃａｓｔ  Ｃｈａｎｎｅｌ）を介して送信されてもよい。一方、端末からネットワークにデータを送信する上り伝送チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に存在し、伝送チャネルにマップされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３１】
図３は、３ＧＰＰシステムに用いられる物理チャネル及びこれらのチャネルを用いた一般の信号送信方法を説明するための図である。
【００３２】
端末は、電源が入ったり、新しくセルに進入したりした場合に、基地局と同期を取る等の初期セル探索（Ｉｎｉｔｉａｌ  ｃｅｌｌ  ｓｅａｒｃｈ）作業を行う（Ｓ３０１）。そのために、端末は、基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を取り、セルＩＤなどの情報を取得することができる。その後、端末は、基地局から物理放送チャネル（Ｐｈｙｓｉｃａｌ  Ｂｒｏａｄｃａｓｔ  Ｃｈａｎｎｅｌ）を受信し、セル内放送情報を取得することができる。一方、端末は、初期セル探索段階で、下りリンク参照信号（Ｄｏｗｎｌｉｎｋ  Ｒｅｆｅｒｅｎｃｅ  Ｓｉｇｎａｌ；ＤＬ ＲＳ）を受信し、下りリンクチャネル状態を確認することができる。
【００３３】
初期セル探索を終えた端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、及び該ＰＤＣＣＨに載せられた情報に基づいて物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を取得することができる（Ｓ３０２）。
【００３４】
一方、基地局に初めて接続したり信号送信のための無線リソースがない場合には、端末は、基地局にランダムアクセス手順（Ｒａｎｄｏｍ  Ａｃｃｅｓｓ  Ｐｒｏｃｅｄｕｒｅ；ＲＡＣＨ）を行うことができる（Ｓ３０３乃至Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を介して特定シーケンスをプリアンブルとして送信し（Ｓ３０３及びＳ３０５）、ＰＤＣＣＨ及び対応するＰＤＳＣＨを介して、プリアンブルに対する応答メッセージを受信することができる（Ｓ３０４及びＳ３０６）。競合ベースのＲＡＣＨについては、衝突解決手順（Ｃｏｎｔｅｎｔｉｏｎ  Ｒｅｓｏｌｕｔｉｏｎ  Ｐｒｏｃｅｄｕｒｅ）をさらに行ってもよい。
【００３５】
上述の手順を行った端末は、以降、一般的な上りリンク／下りリンク信号送信手順として、ＰＤＣＣＨ／ＰＤＳＣＨ受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）送信（Ｓ３０８）を行うことができる。特に、端末はＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割当情報のような制御情報を含み、その使用目的によってフォーマットが互いに異なる。
【００３６】
一方、端末が上りリンクを介して基地局に送信する又は端末が基地局から受信する制御情報は、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムでは、端末は、これらのＣＱＩ／ＰＭＩ／ＲＩなどの制御情報をＰＵＳＣＨ及び／又はＰＵＣＣＨを介して送信することができる。
【００３７】
図４は、下りリンク無線フレームにおいて一つのサブフレームの制御領域に含まれる制御チャネルを例示する図である。
【００３８】
図４を参照すると、サブフレームは１４個のＯＦＤＭシンボルで構成されている。サブフレーム設定によって先頭における１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する参照信号（Ｒｅｆｅｒｅｎｃｅ  Ｓｉｇｎａｌ（ＲＳ）、又はＰｉｌｏｔ  Ｓｉｇｎａｌ）を表す。ＲＳは、制御領域及びデータ領域を問わず、サブフレーム内に一定のパターンで固定される。制御チャネルは、制御領域においてＲＳの割り当てられないリソースに割り当てられ、トラフィックチャネルも、データ領域においてＲＳの割り当てられないリソースに割り当てられる。制御領域に割り当てられる制御チャネルとしては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００３９】
ＰＣＦＩＣＨは、物理制御フォーマット指示子チャネルで、毎サブフレームごとにＰＤＣＣＨに用いられるＯＦＤＭシンボルの個数を端末に知らせる。ＰＣＦＩＣＨは、先頭のＯＦＤＭシンボルに位置し、ＰＨＩＣＨ及びＰＤＣＣＨに優先して設定される。ＰＣＦＩＣＨは、４個のＲＥＧ（Ｒｅｓｏｕｒｃｅ  Ｅｌｅｍｅｎｔ  Ｇｒｏｕｐ）で構成され、それぞれのＲＥＧは、セルＩＤ（Ｃｅｌｌ  ＩＤｅｎｔｉｔｙ）に基づいて制御領域内に分散される。１個のＲＥＧは４個のＲＥ（Ｒｅｓｏｕｒｃｅ  Ｅｌｅｍｅｎｔ）で構成される。ＲＥは、１個の副搬送波×１個のＯＦＤＭシンボルで定義される最小物理リソースのことを指す。ＰＣＦＩＣＨ値は帯域幅によって、１乃至３、又は２乃至４の値を示し、ＱＰＳＫ（Ｑｕａｄｒａｔｕｒｅ  Ｐｈａｓｅ  Ｓｈｉｆｔ  Ｋｅｙｉｎｇ）で変調される。
【００４０】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルで、上りリンク送信に対するＨＡＲＱ ＡＣＫ／ＮＡＣＫを運ぶのに用いられる。すなわち、ＰＨＩＣＨは、ＵＬ ＨＡＲＱのためのＤＬ ＡＣＫ／ＮＡＣＫ情報が送信されるチャネルのことを指す。ＰＨＩＣＨは、１個のＲＥＧで構成され、セル特定（ｃｅｌｌ−ｓｐｅｃｉｆｉｃ）にスクランブル（ｓｃｒａｍｂｌｉｎｇ）される。ＡＣＫ／ＮＡＣＫは１ビットで示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは、拡散因子（Ｓｐｒｅａｄｉｎｇ  Ｆａｃｔｏｒ；ＳＦ）＝２又は４で拡散される。同一のリソースにマップされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は、周波数領域及び／又は時間領域においてダイバーシティ利得を得るために３回反復（ｒｅｐｅｔｉｔｉｏｎ）される。
【００４１】
ＰＤＣＣＨは、物理下りリンク制御チャネルで、サブフレームの先頭におけるｎ個のＯＦＤＭシンボルに割り当てられる。ここで、ｎは、１以上の整数であり、ＰＣＦＩＣＨによって指示される。ＰＤＣＣＨは、１個以上のＣＣＥ（Ｃｏｎｔｒｏｌ  Ｃｈａｎｎｅｌ  Ｅｌｅｍｅｎｔ）で構成される。ＰＤＣＣＨは、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割当に関する情報、上りリンクスケジューリンググラント（Ｕｐｌｉｎｋ  Ｓｃｈｅｄｕｌｉｎｇ  Ｇｒａｎｔ）、ＨＡＲＱ情報などを、各端末又は端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。したがって、基地局と端末は一般に、特定の制御情報又は特定のサービスデータ以外はＰＤＳＣＨを介してそれぞれ送信及び受信する。
【００４２】
ＰＤＳＣＨのデータがいずれの端末（１つ又は複数の端末）に送信されるものであるか、それら端末がどのようにＰＤＳＣＨデータを受信してデコーディング（ｄｅｃｏｄｉｎｇ）をすべきかに関する情報などは、ＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスクされており、「Ｂ」という無線リソース（例、周波数位置）及び「Ｃ」という伝送形式情報（例、伝送ブロックサイズ、変調方式、コーディング情報など）を用いて送信されるデータに関する情報が特定サブフレームにおいて送信されるとしよう。この場合、セル内の端末は、自身が持っているＲＮＴＩ情報を用いてＰＤＣＣＨをモニタし、「Ａ」のＲＮＴＩを持つ一つ以上の端末があると、それらの端末は、ＰＤＣＣＨを受信し、受信したＰＤＣＣＨの情報に基づき、「Ｂ」と「Ｃ」によって指定されるＰＤＳＣＨを受信する。
【００４３】
図５は、ＬＴＥシステムにおいて下りリンク制御チャネルを構成するために用いられるリソース単位を示す。特に、図５の（ａ）は、基地局の送信アンテナの個数が１個又は２個である場合を示し、図５の（ｂ）は、基地局の送信アンテナの個数が４個である場合を示す。送信アンテナの個数によってＲＳ（Ｒｅｆｅｒｅｎｃｅ  Ｓｉｇｎａｌ）パターンが異なるだけで、制御チャネルに関連したリソース単位の設定方法は同一である。
【００４４】
図５を参照すると、下りリンク制御チャネルの基本リソース単位は、ＲＥＧ（Ｒｅｓｏｕｒｃｅ  Ｅｌｅｍｅｎｔ  Ｇｒｏｕｐ）である。ＲＥＧは、ＲＳを除いた状態で４個の隣り合うリソース要素（ＲＥ）で構成される。同図でＲＥＧは太線で示されている。ＰＣＦＩＣＨ及びＰＨＩＣＨはそれぞれ、４個のＲＥＧ及び３個のＲＥＧを含む。ＰＤＣＣＨは、ＣＣＥ（Ｃｏｎｔｒｏｌ  Ｃｈａｎｎｅｌ  Ｅｌｅｍｅｎｔs）単位で構成され、一つのＣＣＥは９個のＲＥＧを含む。
【００４５】
【数４】
0005973652.tif 000005
【００４６】
【表１】
0005973652.tif 000006
【００４７】
ここで、ＣＣＥ集成レベルＬは、ＰＤＣＣＨを構成するＣＣＥの個数を表し、Ｓｋ（Ｌ）は、ＣＣＥ集成レベルＬの検索領域を表し、Ｍ（Ｌ）は、集成レベルＬの検索領域でモニタすべきＰＤＣＣＨ候補の個数を表す。
【００４８】
検索領域は、特定端末のみに対して接近が許容される端末−特定検索領域（ＵＥ−ｓｐｅｃｉｆｉｃ  ｓｅａｒｃｈ  ｓｐａｃｅ）と、セル内の全端末に対して接近が許容される共通検索領域（ｃｏｍｍｏｎ  ｓｅａｒｃｈ  ｓｐａｃｅ）とに区別できる。端末は、ＣＣＥ集成レベルが４及び８である共通検索領域をモニタし、ＣＣＥ集成レベルが１、２、４及び８である端末−特定検索領域をモニタする。共通検索領域及び端末特定検索領域はオーバーラップしてもよい。
【００４９】
また、各ＣＣＥ集成レベル値に対して、任意の端末に与えられるＰＤＣＣＨ検索領域において最初の（最小のインデックスを持つ）ＣＣＥの位置は端末によってサブフレームごと変化するようになる。これを、ＰＤＣＣＨ検索領域ハッシュ（ｈａｓｈｉｎｇ）という。
【００５０】
上記のＣＣＥはシステム帯域に分散されてもよい。より具体的には、論理的に連続した複数のＣＣＥがインターリーバ（ｉｎｔｅｒｌｅａｖｅｒ）に入力されてもよく、該インターリーバは、入力された複数のＣＣＥをＲＥＧ単位で組み替える機能を果たす。したがって、一つのＣＣＥを構成する周波数／時間リソースは、物理的に、サブフレームの制御領域内で全体の周波数／時間領域に散在して分布する。結局、制御チャネルはＣＣＥ単位で構成されるが、インターリービングはＲＥＧ単位で行われることによって、周波数ダイバーシティ（ｄｉｖｅｒｓｉｔｙ）と干渉ランダム化（ｉｎｔｅｒｆｅｒｅｎｃｅ  ｒａｎｄｏｍｉｚａｔｉｏｎ）利得を最大化することができる。
【００５１】
図６は、ＬＴＥシステムにおいて用いられる上りリンクサブフレームの構造を示す図である。
【００５２】
図６を参照すると、上りリンクサブフレームは、制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）が割り当てられる領域と、ユーザデータを運ぶＰＵＳＣＨ（Ｐｈｙｓｉｃａｌ  Ｕｐｌｉｎｋ  Ｓｈａｒｅｄ  ＣＨａｎｎｅｌ）が割り当てられる領域とに区別される。サブフレームの中間部分がＰＵＳＣＨに割り当てられ、周波数領域においてデータ領域の両側部がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ（Ｃｈａｎｎｅｌ  Ｑｕａｌｉｔｙ  Ｉｎｄｉｃａｔｏｒ）、ＭＩＭＯのためのＲＩ（Ｒａｎｋ  Ｉｎｄｉｃａｔｏｒ）、上りリンクリソース割当要求であるＳＲ（Ｓｃｈｅｄｕｌｉｎｇ  Ｒｅｑｕｅｓｔ）などがある。ある端末のＰＵＣＣＨは、サブフレーム内の各スロットにおいて互いに異なった周波数を占める一つのリソースブロックを使用する。すなわち、ＰＵＣＣＨに割り当てられる２個のリソースブロックはスロットを境界に周波数ホッピング（ｆｒｅｑｕｅｎｃｙ  ｈｏｐｐｉｎｇ）する。特に、図６では、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられる例を示す。
【００５３】
図７は、搬送波集成（ｃａｒｒｉｅｒ  ａｇｇｒｅｇａｔｉｏｎ）を説明する概念図である。
【００５４】
搬送波集成は、無線通信システムがより広い周波数帯域を用いるように、端末が上りリンクリソース（又は、コンポーネント搬送波）及び／又は下りリンクリソース（又は、コンポーネント搬送波）で構成された周波数ブロック又は（論理的意味の）セルを複数個用いて一つの大きい論理周波数帯域として用いる方法を意味する。以下では、説明の便宜のためにコンポーネント搬送波という用語に統一するものとする。
【００５５】
図７を参照すると、全体システム帯域（Ｓｙｓｔｅｍ  Ｂａｎｄｗｉｄｔｈ；Ｓｙｓｔｅｍ  ＢＷ）は論理帯域であって、最大１００ＭＨｚの帯域幅を有する。全体システム帯域は５個のコンポーネント搬送波を含み、それぞれのコンポーネント搬送波は最大２０ＭＨｚの帯域幅を有する。コンポーネント搬送波は、物理的に連続した一つ以上の連続した副搬送波を含む。図７では、それぞれのコンポーネント搬送波がいずれも同一の帯域幅を有するとしたが、これは例示に過ぎず、それぞれのコンポーネント搬送波は互いに異なる帯域幅を有することもできる。また、それぞれのコンポーネント搬送波は、周波数領域において互いに隣接しているとしたが、同図は論理的な概念で示したもので、それぞれのコンポーネント搬送波は物理的に互いに隣接していても、離れていてもよい。
【００５６】
それぞれのコンポーネント搬送波に対して異なる中心搬送波（Ｃｅｎｔｅｒ  ｆｒｅｑｕｅｎｃｙ）を用いたり、物理的に隣接したコンポーネント搬送波に対して共通の一つの中心搬送波を用いることができる。一例として、図７で、全てのコンポーネント搬送波が物理的に隣接しているとすれば、中心搬送波Ａを用いることができる。また、それぞれのコンポーネント搬送波が物理的に隣接していない場合を仮定すれば、それぞれのコンポーネント搬送波に対して別々の中心搬送波Ａ、中心搬送波Ｂなどを用いることができる。
【００５７】
本明細書で、コンポーネント搬送波はレガシーシステムのシステム帯域に該当し得る。コンポーネント搬送波をレガシーシステムを基準に定義することによって、進化した端末及びレガシー端末が共存する無線通信環境において容易な逆支援性（ｂａｃｋｗａｒｄ  ｃｏｍｐａｔｉｂｉｌｉｔｙ）の提供及びシステムの設計を図ることができる。
【００５８】
搬送波集成によって全体システム帯域を拡張した場合に、各端末との通信に用いられる周波数帯域はコンポーネント搬送波単位に定義される。端末Ａは、全体システム帯域である１００ＭＨｚを用いることができ、５個のコンポーネント搬送波を全て用いて通信を行う。端末Ｂ1〜Ｂ5は２０ＭＨｚ帯域幅のみを用いることができ、一つのコンポーネント搬送波を用いて通信を行う。端末Ｃ1及びＣ2は４０ＭＨｚ帯域幅を用いることができ、それぞれ２つのコンポーネント搬送波を用いて通信を行う。これら２つのコンポーネント搬送波は論理／物理的に隣接しても、隣接しなくてもよい。同図では、端末Ｃ1が、隣接していない２つのコンポーネント搬送波を用いる場合を示し、端末Ｃ2が、隣接した２つのコンポーネント搬送波を用いる場合を示す。
【００５９】
ＬＴＥシステムでは１個の下りリンクコンポーネント搬送波と１個の上りリンクコンポーネント搬送波を用いるのに対し、ＬＴＥ−Ａシステムでは、図７に示すように複数のコンポーネント搬送波を用いることができる。このとき、制御チャネルがデータチャネルをスケジューリングする方式は、既存のリンク搬送波スケジューリング（Ｌｉｎｋｅｄ  ｃａｒｒｉｅｒ  ｓｃｈｅｄｕｌｉｎｇ）方式とクロス搬送波スケジューリング（Ｃｒｏｓｓ  ｃａｒｒｉｅｒ  ｓｃｈｅｄｕｌｉｎｇ）方式とに区別できる。
【００６０】
具体的に、リンク搬送波スケジューリングでは、単一コンポーネント搬送波を用いる既存ＬＴＥシステムのように特定コンポーネント搬送波を介して送信される制御チャネルは、該特定コンポーネント搬送波を介して送信されるデータチャネルのみをスケジューリングする。
【００６１】
一方、クロス搬送波スケジューリングでは、搬送波指示子フィールド（Ｃａｒｒｉｅｒ  Ｉｎｄｉｃａｔｏｒ  Ｆｉｅｌｄ；ＣＩＦ）を用いてプライマリコンポーネント搬送波（Ｐｒｉｍａｒｙ  ＣＣ）を介して送信される制御チャネルが、該プライマリコンポーネント搬送波を介して送信される或いは他のコンポーネント搬送波を介して送信されるデータチャネルをスケジューリングする。
【００６２】
以下では、上述した説明に基づいて検索領域においてＰＤＣＣＨ候補の位置を指定する方法を説明する。
【００６３】
【数５】
0005973652.tif 000007
【００６４】
【数６】
0005973652.tif 000008
【００６５】
上記の式１でｍ’は、共通検索領域である場合にｍ’＝ｍに設定され、端末特定領域である場合にもＣＩＦが定義されていないと、すなわち、交差搬送波スケジューリング方式が適用されないとｍ’＝ｍに設定される。一方、端末特定領域である場合にＣＩＦが定義されていると、すなわち、交差搬送波スケジューリング方式が適用されると、ｍ’はｍ’＝ｍ+Ｍ（Ｌ）・ｎＣＩと定義される。ここで、ｎＣＩはＣＩＦ値を意味する。
【００６６】
また、共通検索領域の場合、Ｙｋは０に設定される。一方、端末特定検索領域の場合、下記の式２のようにハッシュ（ｈａｓｈｉｎｇ）関数によってＹｋを定義することができる。
【００６７】
【数７】
0005973652.tif 000009
【００６８】
【数８】
0005973652.tif 000010
【００６９】
一方、現在の無線通信環境は、Ｍ２Ｍ（Ｍａｃｈｉｎｅ−ｔｏ−Ｍａｃｈｉｎｅ）通信、及び高いデータ伝送量を要求する様々なデバイスの出現及び普及に伴い、セルラー網に対するデータ要求量も急増している。高いデータ要求量を満たす目的で、通信技術は、より多い周波数帯域を效率よく使用するための搬送波集成（ｃａｒｒｉｅｒ  ａｇｇｒｅｇａｔｉｏｎ）技術など、及び限られた周波数内でデータ容量を高めるための多重アンテナ技術や多重基地局協調技術などへと発展しており、通信環境は、ユーザの周辺にアクセスできるノードの密度が高くなる方向に進展している。このような高い密度のノードを備えたシステムは、ノード同士の協調により、より高いシステム性能を示すことができる。このような方式は、各ノードが独立した基地局（Ｂａｓｅ  Ｓｔａｔｉｏｎ（ＢＳ）、Ａｄｖａｎｃｅｄ  ＢＳ（ＡＢＳ）、Ｎｏｄｅ−Ｂ（ＮＢ）、ｅＮｏｄｅ−Ｂ（ｅＮＢ）、Ａｃｃｅｓｓ  Ｐｏｉｎｔ（ＡＰ）など）として動作して互いに協調しない場合に比べて格段に優れた性能を示す。
【００７０】
図８は、次世代通信システムにおいて多重ノードシステムを例示する図である。
【００７１】
図８を参照すると、全てのノードが一つのコントローラによって送受信が管理され、個別ノードが一つのセルの一部のアンテナ集団のように動作をするとすれば、このシステムは、一つのセルを形成する分散多重ノードシステム（ｄｉｓｔｒｉｂｕｔｅｄ  ｍｕｌｔｉ  ｎｏｄｅ  ｓｙｓｔｅｍ；ＤＭＮＳ）と見なすことができる。このとき、各ノードは、個別のＮｏｄｅ ＩＤが与えられてもよく、個別のＮｏｄｅ ＩＤ無しでセル内の一部のアンテナのように動作してもよい。しかし、各ノードが互いに異なったセル識別子（Ｃｅｌｌ  ｉｄｅｎｔｉｆｉｅｒ；ＩＤ）を持つと、これは多重セルシステムと見なすことができる。このような多重セルがカバレッジによって重畳形態で構成されると、これを多重ティアネットワーク（ｍｕｌｔｉ−ｔｉｅｒ  ｎｅｔｗｏｒｋ）と呼ぶ。
【００７２】
一方、Ｎｏｄｅ−Ｂ、ｅＮｏｄｅ−Ｂ、ＰｅＮＢ、ＨｅＮＢ、ＲＲＨ（Ｒｅｍｏｔｅ  Ｒａｄｉｏ  Ｈｅａｄ）、リレー及び分散アンテナなどをノードとすることができ、一つのノードには少なくとも一つのアンテナが設けられる。ノードは、送信ポイント（Ｔｒａｎｓｍｉｓｓｉｏｎ  Ｐｏｉｎｔ）とも呼ばれる。ノード（Ｎｏｄｅ）は通常、一定間隔以上で離れたアンテナグループを指すが、本発明では、間隔にかかわらずに任意のアンテナグループと定義したノードも適用することができる。
【００７３】
上述した多重ノードシステム及びリレーノードの導入から、様々な通信技法の適用が可能になり、チャネル品質の改善が図られるが、前述のＭＩＭＯ技法及びセル間協調通信技法を多重ノード環境に適用するには、新しい制御チャネルの導入が要望される。このような要望に応じて新しく導入が議論されている制御チャネルがＥＰＤＣＣＨ（Ｅｎｈａｎｃｅｄ  ＰＤＣＣＨ）であり、このＥＰＤＣＣＨを既存の制御領域（以下、ＰＤＣＣＨ領域）ではなくデータ領域（以下、ＰＤＳＣＨ領域という。）に割り当てることが決定された。結論的に、このようなＥＰＤＣＣＨにより、各端末別にノードに関する制御情報を送信することが可能となり、既存のＰＤＣＣＨ領域が不足しうる問題も解決することができる。ちなみに、ＥＰＤＣＣＨは、既存のレガシー端末には提供されず、ＬＴＥ−Ａ端末にとってのみ受信することができる。また、ＥＰＤＣＣＨは、既存のセル特定参照信号であるＣＲＳではなく、ＤＭ−ＲＳ（或いは、ＣＳＩ−ＲＳ）に基づいて送信及び受信がなされる。
【００７４】
図９は、ＥＰＤＣＣＨ、及びＥＰＤＣＣＨによってスケジューリングされるＰＤＳＣＨを例示する図である。
【００７５】
図９を参照すると、ＰＤＣＣＨ１及びＰＤＣＣＨ２はそれぞれＰＤＳＣＨ１及びＰＤＳＣＨ２をスケジューリングし、ＥＰＤＣＣＨは他のＰＤＳＣＨをスケジューリングすることがわかる。特に、図９では、ＥＰＤＣＣＨがサブフレームの４番目のシンボルから始まって最後のシンボルまで送信されることを示している。
【００７６】
一般に、データを送信するＰＤＳＣＨ領域を介してＥＰＤＣＣＨを送信することができ、端末は自身へのＥＰＤＣＣＨの有無を検出するために、ＥＰＤＣＣＨをモニタする。すなわち、ＥＰＤＣＣＨに含まれたＤＣＩを取得するために、端末は集成レベルＬの検索領域においてあらかじめ定められた個数のＥＰＤＣＣＨ候補に対してブラインドデコーティングを行わなければならない。既存のＰＤＣＣＨのための検索領域の集成レベルと同様に、ＥＰＤＣＣＨのための検索領域の集成レベルも、一つのＤＣＩを送信するために用いられるＥＣＣＥ（Ｅｎｈａｎｃｅｄ  ＣＣＥ）の個数を意味する。
【００７７】
【数９】
0005973652.tif 000011
【００７８】
ＥＰＤＣＣＨは、既存ＰＤＣＣＨとは違い、一定のＲＢ（Ｒｅｓｏｕｒｃｅ  Ｂｌｏｃｋ）集合を用いて送信する特徴を有する。特に、制御チャネルオーバーヘッドを減少させ、ＰＤＳＣＨとのリソース衝突を回避するために、ＥＰＤＣＣＨの送信可能なＲＢの集合は制限されることが好ましい。したがって、基地局は上位層信号を用いて、ＥＰＤＣＣＨが送信され得るＲＢの集合を端末に知らせることができ、端末は、シグナリングされたＲＢ内でのみＥＰＤＣＣＨが送信されると仮定したうえで検出を試みることができる。
【００７９】
一般に、同一ＰＲＢインデックスを持つ一番目のスロットと二番目のスロットの組合せである一つのＰＲＢ対において単一ＤＣＩの送信に用いられるにはそのＲＥの個数が非常に多い。したがって、一つのＰＲＢ対を複数のリソースセットに分割し、このリソースセットを適切に用いてＥＰＤＣＣＨを送信することが好ましい。例えば、一つのＰＲＢ対を４個のリソースセットに分割し、それぞれを一つのＥＣＣＥと見なすことができ、この場合には集成レベルＬのＥＰＤＣＣＨは、Ｌ個のＥＣＣＥを用いて送信される。又は、一つのＰＲＢ対を８個のリソースセットに分割し、さらに２つのリソースセットを１つのＥＣＣＥに束ねた後、Ｌ個のＥＣＣＥを用いて集成レベルＬのＥＰＤＣＣＨを送信することもでき、この場合には、周波数ダイバーシティ（ｆｒｅｑｕｅｎｃｙ  ｄｉｖｅｒｓｉｔｙ）のために、互いに異なるＰＲＢ対に属したリソースセットが一つのＥＣＣＥを構成するように設定することができる。
【００８０】
【数１０】
0005973652.tif 000012
【００８１】
図１０は、ＥＰＤＣＣＨのブラインドデコーティングのために６個のＰＲＢ対に構成されたＥＰＤＣＣＨ候補を例示する図である。
【００８２】
図１０を参照すると、総６個のＰＲＢ対がＥＰＤＣＣＨのために設定された状況で一つのＰＲＢ対が４個のＥＣＣＥに分割される場合に該当する。ここで、ＰＲＢ対は互いに連続してもよく分散されてもよい。ここでは、集成レベル＃１の各ＥＰＤＣＣＨ候補が互いに異なるＰＲＢ対に位置し、ＥＰＤＣＣＨを送信する時の周波数選択的ダイバーシティが向上するように設定した。
【００８３】
また、図１０では、各集成レベルのＥＰＤＣＣＨ候補は、与えられたＰＲＢ対において極力分散されるように位置を指定した。例えば、集成レベル＃４では、２つのＥＰＤＣＣＨ候補のみが存在するため、これら候補はそれぞれＰＲＢ対＃０とＰＲＢ対＃３で定義され、その間隔が２ＰＲＢ対になるように構成した。
【００８４】
図１１は、ＥＰＤＣＣＨのブラインドデコーティングのために４個のＰＲＢ対に構成されたＥＰＤＣＣＨ候補を例示する図である。
【００８５】
図１１を参照すると、４個のＰＲＢ対が設定された状況で、一部のＰＲＢ対では一つのＰＲＢ対に集成レベル１のＥＰＤＣＣＨ候補を２個ずつ構成して、４個のＰＲＢ対で６個のＥＰＤＣＣＨ候補を構成したことがわかる。特に、図１１では、ＰＲＢ対＃０、＃１において集成レベル＃１のＥＰＤＣＣＨ候補が２個ずつ存在する。
【００８６】
また、図１０との差異点としては、集成レベル＃１のＥＰＤＣＣＨ候補間の間隔が減ったことがわかる。すなわち、ＥＰＤＣＣＨ候補＃０と＃１との間隔をみると、相対的に多いＰＲＢ対を用いる図１０では、間隔が４ＥＣＣＥである（すなわち、ＥＰＤＣＣＨ候補＃１のインデックスがＥＰＤＣＣＨ候補＃０のインデックス＋４と決定される）が、相対的に少ないＰＲＢ対を用いる図１１では、それらの間隔が２ＥＣＣＥである。このような動作は、ＥＰＤＣＣＨとして設定されたＰＲＢ対の個数、一つのＰＲＢ対において形成されるＥＣＣＥの個数に基づいてＥＰＤＣＣＨ候補間の間隔を調節することによって具現することができる。
【００８７】
【数１１】
0005973652.tif 000013
【００８８】
以下では、本発明の実施例によって搬送波集成技法が適用された環境下でＥＰＤＣＣＨ候補を構成する方法について説明する。
【００８９】
ＥＰＤＣＣＨを設定するに当たり、端末はＲＲＣ層などの上位層信号を通じて事前に、ＥＰＤＣＣＨ候補が存在するＲＢの集合（或いは、ＰＲＢ対の集合）がシグナリングされ得る。すなわち、基地局は、ＥＰＤＣＣＨが送信され得るＲＢの集合を事前に定めておき、該当の端末が該当のＲＢ内でのみＥＰＤＣＣＨの検出を試みるようにする。これによって、端末が検出すべき領域を減らすことができ、端末の具現が簡単になるという効果が得られる。
【００９０】
しかしながら、搬送波集成技法が適用された状況下で、特に、一つのコンポーネント搬送波で残りのコンポーネント搬送波に関する制御信号を送信する場合は、すなわち、交差搬送波スケジューリングがなされる場合は、各集成レベル別に要求されるＥＰＤＣＣＨ候補の個数が増えることがある。このような状況では、ＥＰＤＣＣＨ候補間の間隔を調節したり、ＥＰＤＣＣＨ候補を構成するＥＣＣＥを重ね合わせる動作が必要であり、このような動作は、交差搬送波スケジューリングされたコンポーネント搬送波の個数によって調節することができる。
【００９１】
図１２は、本発明の実施例によって搬送波集成技法が適用された環境下でＥＰＤＣＣＨのブラインドデコーティングのために６個のＰＲＢ対に構成されたＥＰＤＣＣＨ候補を例示する図である。特に、図１２で、Ａ、Ｂはそれぞれ、ＥＰＤＣＣＨ候補＃１０、＃１１を意味する。
【００９２】
図１２を参照すると、集成レベル＃１、＃２のＥＰＤＣＣＨ候補間に２ＥＣＣＥの間隔が設定されたことがわかる。ただし、図１２では、集成レベル＃８のＥＰＤＣＣＨ候補＃３は、余分のリソースがないため、ＥＰＤＣＣＨ候補＃０と重なり合うように構成したが、本発明の原理を適用して、他のＥＣＣＥの組合せの形態でＥＰＤＣＣＨ候補を構成してもよく、当該ＥＰＤＣＣＨ候補を削除して他の集成レベルのＥＰＤＣＣＨ候補数字を増加させてもよい。
【００９３】
【数１２】
0005973652.tif 000014
【００９４】
一方、図１２のように動作する場合、連続するインデックスのＥＰＤＣＣＨ候補を一つのコンポーネント搬送波に割り当てると、特定コンポーネント搬送波のＥＰＤＣＣＨ候補が特定ＰＲＢ対に集中することがある。この場合、当該ＰＲＢ対のチャネル状態が悪化すると、当該コンポーネント搬送波に対する全体的な制御信号送信の機会が減るという問題が発生し得る。この問題を解決する一方法として、各コンポーネント搬送波に各ＥＰＤＣＣＨ候補が一つずつ交差して割り当てられるように動作することができる。
【００９５】
【数１３】
0005973652.tif 000015
【００９６】
さらに、ＥＰＤＣＣＨ候補間の間隔を、一つのコンポーネント搬送波のみが存在する場合と同一に維持するものの、各コンポーネント搬送波のＥＰＤＣＣＨ候補間に一定のオフセットを付与することができる。
【００９７】
図１３は、本発明の実施例によって搬送波集成技法が適用された環境下で、ＥＰＤＣＣＨのブラインドデコーティングのために６個のＰＲＢ対に構成されたＥＰＤＣＣＨ候補の他の例を示す図である。
【００９８】
図１３を参照すると、ＥＰＤＣＣＨ候補＃０、＃１、…、＃５はコンポーネント搬送波＃０に割り当てられ、ＥＰＤＣＣＨ候補＃Ａ、＃Ｂ、…、＃Ｆはコンポーネント搬送波＃１に割り当てられたと仮定すれば、各コンポーネント搬送波のＥＰＤＣＣＨ候補は４ＥＣＣＥ間隔を維持するものの、コンポーネント搬送波間に２ＥＣＣＥのオフセットをおいて検索領域を形成したことがわかる。
【００９９】
一方、端末は基地局から２つ以上のＥＰＤＣＣＨのためのＲＢ集合が伝達されてもよい。例えば、交差搬送波スケジューリングが適用された場合、端末には、各コンポーネント搬送波別にＥＰＤＣＣＨのためのＲＢ集合が個別に設定されてもよい。また、端末が一つのコンポーネント搬送波のみを使用する場合においても互いに異なる属性を持つＥＰＤＣＣＨを同時にモニタするようにするために、複数のＲＢ集合が伝達され、それぞれに対して互いに異なる属性のＥＰＤＣＣＨ検出のために、例えば、一つのＲＢ集合は分散的（ｄｉｓｔｒｉｂｕｔｅｄ）送信のＥＰＤＣＣＨ検出のために、他のＲＢ集合は局地的（ｌｏｃａｌｉｚｅｄ）送信のＥＰＤＣＣＨ検出のために用いるように設定することができる。
【０１００】
勿論、２つの場合を結合することも可能である。例えば、交差搬送波スケジューリングが適用された場合は、各コンポーネント搬送波の検索領域をさらに複数のサブ検索領域に分割し、各サブ検索領域別に個別のＲＢ集合を伝達することができる。もちろん、一つのコンポーネント搬送波の検索領域が分割されない場合は、これを一つのサブ検索領域と見なすこともできる。
【０１０１】
以下では、一つの端末に複数のサブ検索領域が設定された場合に、各サブ検索領域において特定端末に対してＥＰＤＣＣＨ候補の位置を決定する方法を提案する。
【０１０２】
図１４には、本発明の実施例によって一つの端末のために複数のサブ検索領域が設定された例を示す。ただし、図１４では説明の便宜のために既存ＰＤＣＣＨ領域の図示は省略した。
【０１０３】
また、図１４では、一つのサブ検索領域を構成するＲＢは連続しているものと仮定したが、これは例示に過ぎず、実際には不連続のＲＢで一つのサブ検索領域を構成することもできる。ここで、ＥＣＣＥインデックスは各サブ検索領域別に付与されると仮定し、これは、サブ検索領域の構成が端末ごとに異なるため、全ての端末に同一のＥＣＣＥインデックスを付与することが難しいためである。その結果、各サブ検索領域ではＥＣＣＥは唯一のインデックスを有するが、他のサブ検索領域には同一のインデックスを有するＥＣＣＥが存在することがあり、当該ＥＣＣＥはＰＲＢ内で同一位置を占めることができる。
【０１０４】
また、既存ＰＤＣＣＨと同様に、検索領域内におけるＥＰＤＣＣＨ候補の位置はＥＣＣＥインデックスで定義し、ＥＰＤＣＣＨ候補位置の端末間におけるランダム化のためにハッシュ関数によって定義することができる。
【０１０５】
式１で説明した既存のＰＤＣＣＨ検索領域において、変数Ｙｋは、端末ごとに異なる値を有するように設定されることによって、互いに異なる端末がＰＤＣＣＨ候補を互いに異なる位置で設定することとなる。同様に、端末に複数のサブ検索領域が設定された状況でもＥＰＤＣＣＨ候補の位置設定を既存ＰＤＣＣＨ候補の位置設定と略同様に定義することができる。すなわち、端末ごとに異なる値を有するように設定される変数Ｙｋを導入し、これに基づいてＥＰＤＣＣＨ候補の位置を決定する。最も簡単な方法は、変数Ｙｋをサブ検索領域ごとに独立して設定する方法である。
【０１０６】
例えば、サブ検索領域＃ｐに適用される変数をＹｋ、ｐとするとき、ｐ値によって定められるパラメータに基づいて当該変数の初期値Ｙ−１を決定する。一例として、Ｙ−１＝ｆ（ｐ）のような形態を有することができる。ここで、関数ｆ（ｐ）は、下記の式３又は式４のいずれかで定義することができる。
【０１０７】
【数１４】
0005973652.tif 000016
【０１０８】
【数１５】
0005973652.tif 000017
【０１０９】
さらに、複数のコンポーネント搬送波が設定される場合、コンポーネント搬送波＃ｃに対してＴ（ｃ）個のサブ検索領域が構成されると仮定すれば、サブ検索領域＃０、＃１、…、＃Ｔ（０）−１のそれぞれは、コンポーネント搬送波＃０の一番目、二番目、…、＃Ｔ（０）番目のサブ検索領域に対応し、サブ検索領域＃Ｔ（０）、＃Ｔ（０）+１、…、＃Ｔ（０）+Ｔ（１）−１はそれぞれ、コンポーネント搬送波＃２の一番目、二番目、…、＃Ｔ（１）番目のサブ検索領域に対応すると解釈することができる。
【０１１０】
他の方式として、変数Ｙｋ、ｐを各サブ検索領域ごとに連動するように構成してもよい。一例としてＹｋ，ｐ＝Ｙｋ+ｇ（ｐ）のような形態になり得るが、これは、あるサブ検索領域のオフセット値に一定のオフセットを追加してその次のサブ検索領域のオフセットを決定することができる。
【０１１１】
図１５には、本発明の実施例によってＥＰＤＣＣＨサブ検索領域構成においてオフセットを反映する例を示す。
【０１１２】
図１５を参照すると、一つのサブ検索領域のオフセット値に追加的なオフセットを付与する方式によって次のサブ検索領域が決定される動作は、２つのサブ検索領域を重ね合わせる場合に有効である。特に、図１５では、連続するＥＣＣＥを用いて各サブ検索領域が構成されると仮定し、且つ、制御チャネルのオーバーヘッドを減らすために２つのサブ検索領域のＲＢセットは同一であると仮定した。
【０１１３】
このとき、サブ検索領域＃０とサブ検索領域＃１が独立したオフセット値Ｙｋ、ｐを有するとすれば、場合によっては、図１５の（ａ）のように、特定サブ検索領域のＥＰＤＣＣＨ候補と他のサブ検索領域のＥＰＤＣＣＨ候補とが同一ＥＣＣＥに設定されるため、当該端末が使用し得るＥＰＤＣＣＨ候補の数が実際に減るという問題が発生し得る。図１５の（ａ）に示す例では、特定時点にＹｋ、１＝Ｙｋ，０+１の条件が満たされて、サブ検索領域＃０とサブ検索領域＃１において集成レベル１のＥＰＤＣＣＨ候補が一部のＥＣＣＥで重なり合っている。
【０１１４】
これに対し、図１５の（ｂ）に示すように、サブ検索領域＃１がサブ検索領域＃０のオフセットに追加的なオフセットが加えられた形態で構成されると、実際に同一ＲＢ集合にマップされた以降のＥＣＣＥインデックス上でもサブ検索領域＃１がサブ検索領域＃０と常にずれて現れるため、図１５の（ａ）における問題を解消することができる。
【０１１５】
このような条件を満たすためには、Ｙｋ，ｐはＹｋ，ｐ＝Ｙｋ，ｐ−１+ａを満たす必要があり、ａはサブ検索領域＃ｐ−１におけるＥＰＤＣＣＨ候補の個数であるＭｐ−１（Ｌ）にならなければならない。すなわち、集成レベルＬに対して適用されるオフセット値を下記の式５のように定義することができる。
【０１１６】
【数１６】
0005973652.tif 000018
【０１１７】
【数１７】
0005973652.tif 000019
【０１１８】
【数１８】
0005973652.tif 000020
【０１１９】
【数１９】
0005973652.tif 000021
【０１２０】
一方、ＥＰＤＣＣＨの検索領域を構成するにあって、各ＥＰＤＣＣＨ候補間に一定の間隔（ｇａｐ）が存在してもよい。これは、各ＥＰＤＣＣＨ候補を全体検索領域に分散することによって、あるＥＰＤＣＣＨ候補が不適切な環境に処したとき（例えば、当該ＥＰＤＣＣＨ候補がディープ−フェーディング（ｄｅｅｐ  ｆａｄｉｎｇ）に陥る周波数領域に存在したり、当該ＥＰＤＣＣＨ候補が他の端末の高い集成レベルのＥＰＤＣＣＨ候補によってブロッキングされたとき）、その影響が他のＥＰＤＣＣＨ候補に及ばないようにするためである。
【０１２１】
【数２０】
0005973652.tif 000022
【０１２２】
【数２１】
0005973652.tif 000023
【０１２３】
集成レベル１を例に挙げると、ＹｋでＥＰＤＣＣＨ候補＃０が構成されると、Ｙｋ+Ｇｐ，ＬでＥＰＤＣＣＨ候補＃１が生成され、次にＹｋ+２Ｇｐ，ＬでＥＰＤＣＣＨ候補＃２が生成される動作を反復する。
【０１２４】
なお、２つのサブ検索領域間のＥＰＤＣＣＨ候補が互いに重ならないようにするためには、Ｙｋ，ｐ＝Ｙｋ，ｐ−１＋ａと与えられる関係においてａ＝Ｇｐ−１、Ｌ・Ｍｐ−１（Ｌ）とすることができる。
【０１２５】
図１６には、本発明の実施例によって２つのサブ検索領域間のＥＰＤＣＣＨ候補が互いに重ならないように所定の間隔が適用された例を示す。
【０１２６】
図１６は、上記の間隔がＧ０，Ｌ＝Ｇ１，Ｌ＝２である場合を仮定し、サブ検索領域＃１の場合は、全体ＥＣＣＥ個数に対するモジュラー（ｍｏｄｕｌａｒ）演算によってＥＰＤＣＣＨ候補の位置が循環シフト（ｃｉｒｃｕｌａｒ  ｓｈｉｆｔ）されることが確認できる。
【０１２７】
本発明の原理を適用するとき、オフセット変数ａ値は、サブフレームインデックスやＥＰＤＣＣＨサブ検索領域のインデックス、端末のＩＤなどから決定されると定義すると、サブ検索領域間のオフセットをランダム化する効果を得ることができる。また、各サブ検索領域の送信タイプ、例えば、個別ＥＣＣＥが一つのＰＲＢ対にのみ存在する局地的送信のＥＰＤＣＣＨ（以下、局地的ＥＰＤＣＣＨ）であるか、個別ＥＣＣＥが複数のＰＲＢ対に存在する分散的送信のＥＰＤＣＣＨ（以下、分散的ＥＰＤＣＣＨ）であるかによっても、互いに異なる値に設定することができる。
【０１２８】
以下では、上述したサブ検索領域間のオフセットを決定するより具体的な例を説明する。まず、局地的送信のＥＰＤＣＣＨの場合には、各ＥＰＤＣＣＨ候補が複数のＰＲＢ対に均一に分散するように検索領域を構成することが好ましい。
【０１２９】
図１７には、本発明の実施例によってサブ検索領域間のオフセットを適用してＥＰＤＣＣＨ候補を構成した例を示す。特に、図１７は、４個のＰＲＢ対が設定された状況で各ＰＲＢ対ごとに４個のＥＣＣＥが形成され、集成レベル１の４個のＥＰＤＣＣＨ候補を各ＰＲＢ対に一つずつ位置するように配置した場合である。
【０１３０】
より一般的に、下の式７のような形態で局地的ＥＰＤＣＣＨ検索領域を構成することができる。特に、式７では、サブ検索領域＃ｐに対して、Ｌ・Ｍｐ（Ｌ）個のＥＰＤＣＣＨ候補の開始ＥＣＣＥインデックスを、サブ検索領域＃ｐに存在する合計ＮＥＣＣＥ，ｋ，ｐ個のＥＣＣＥにおいてできるだけ等間隔で配置している。
【０１３１】
【数２２】
0005973652.tif 000024
【０１３２】
このような形態で構成されたサブ検索領域では各ＥＰＤＣＣＨ候補間に使用しないＥＣＣＥが存在するようになる。したがって、２つのサブ検索領域が重なる場合に２つのＥＰＤＣＣＨ候補間の間隔よりも小さい特定の値のオフセットをサブ検索領域間に適用すると、２つのサブ検索領域のＥＰＤＣＣＨ候補が重ならない特徴を有することとなる。図１８には、本発明の実施例によって２つのサブ検索領域間に２だけのオフセットを適用してＥＰＤＣＣＨ候補を構成した例を示す。
【０１３３】
【数２３】
0005973652.tif 000025
【０１３４】
【数２４】
0005973652.tif 000026
【０１３５】
ここで、Ｐは、全体サブ検索領域の個数を表し、ｐは、該当のサブ検索領域のインデックスを表す。
【０１３６】
又は、サブ検索領域＃ｐ−１でＥＰＤＣＣＨ候補の分布を勘案するために、Ｙｋ，ｐは下記の式９のように表現することもできる。
【０１３７】
【数２５】
0005973652.tif 000027
【０１３８】
或いは、このようなサブ検索領域間のオフセットを複数の変数によって調節する面倒さを避けるために、Ｍｐ（Ｌ）の代わりに、特定集成レベル上のＥＰＤＣＣＨ候補の個数を、集成レベル１のＥＰＤＣＣＨ候補の個数或いは最も多いＥＰＤＣＣＨ候補の個数（或いは最も少ないＥＰＤＣＣＨ候補の個数）などを代表値として選定して一括的に使用するか、又は、オフセット自体を、１、２、或いは３のように十分に小さい値にサブ検索領域インデックスｐを掛けた値に設定しても、複数のサブ検索領域のＥＰＤＣＣＨ候補が重なることを防止することができる。
【０１３９】
特に、ＥＰＤＣＣＨを用いた交差搬送波スケジューリングが適用される場合、上述したサブ検索領域間にオフセットを印加する方式は、各コンポーネント搬送波のＥＰＤＣＣＨ候補が同一のＥＣＣＥで重なって設定されることを効果的に防止することができる。
【０１４０】
すなわち、サブ検索領域＃０、＃１、…、＃Ｔ（０）−１はそれぞれ、コンポーネント搬送波＃０の一番目、二番目、…、＃Ｔ（０）番目のサブ検索領域に対応し、サブ検索領域＃Ｔ（０）、＃Ｔ（０）+１、…、＃Ｔ（０）+Ｔ（１）−１はそれぞれ、コンポーネント搬送波＃２の一番目、二番目、…、＃Ｔ（１）番目のサブ検索領域に対応するように動作する環境で、サブ検索領域＃ｐにｆ（ｐ）だけのオフセットが適用される場合、上記の式７は下記の式１０のようにＥＰＤＣＣＨ検索領域構成規則が変形されてもよい。
【０１４１】
【数２６】
0005973652.tif 000028
【０１４２】
【数２７】
0005973652.tif 000029
【０１４３】
ただし、上記の式１０は、各コンポーネント搬送波のためのサブ検索領域が個別に設定された場合であり、検索領域の開始ＥＣＣＥインデックスを決定するパラメータであるＹｋ，ｐはサブ検索領域ごとに別々に設定される必要がないため、サブ検索領域インデックスＰにかかわらずに決定することができて、単純にＹｋの形態で表現することができる。また、オフセット値を決定するｆ（ｐ）は、ｐと簡単に定義されてもよい。
【０１４４】
一方、各コンポーネント搬送波のためのサブ検索領域のためのリソースが個別に設定されないと、一つのサブ検索領域のために設定されたリソース上で複数のコンポーネント搬送波のＥＰＤＣＣＨ候補が共に設定され得る。同様に、サブ検索領域＃０、＃１、…、＃Ｔ（０）−１はそれぞれ、コンポーネント搬送波＃０の一番目、二番目、…、＃Ｔ（０）番目のサブ検索領域に対応し、サブ検索領域＃Ｔ（０）、＃Ｔ（０）+１、…、＃Ｔ（０）+Ｔ（１）−１はそれぞれ、コンポーネント搬送波＃２の一番目、二番目、…、＃Ｔ（１）番目のサブ検索領域に対応すると仮定する。
【０１４５】
このような場合、各コンポーネント搬送波に対してサブ検索領域のためのリソースが個別に設定されるのではなく、一つのコンポーネント搬送波に対するサブ検索領域のためのリソースのみを設定し、各サブ検索領域のためのリソースを用いて残りのコンポーネント搬送波に対するサブ検索領域を統合して運営するように動作することができる。より具体的に、Ｔ（０）＝Ｔ（１）＝...＝Ｔとなって各コンポーネント搬送波に対してＴ個のサブ検索領域が設定される場合に、合計Ｔ個のサブ検索領域に対するリソースのみを設定し、各コンポーネント搬送波のｘ番目のサブ検索領域に該当するサブ検索領域＃ｘ、＃ｘ+Ｔ、＃ｘ+２Ｔなどはいずれも、当該サブ検索領域＃ｘのために設定されたリソースを用いて形成することができる。また、同一リソース上に設定された互いに異なるコンポーネント搬送波のＥＰＤＣＣＨ候補を区別するためにコンポーネント搬送波別インデックスをおくように動作することもできる。
【０１４６】
ただし、ＥＰＤＣＣＨ候補をコンポーネント搬送波別に区別するために、下記の式１１のようにオフセット関数ｆ（ｐ）がコンポーネント搬送波インデックスの関数ｆ（ｎＣＩ）に置き換えられる形態でＥＰＤＣＣＨ検索領域構成規則を変形することもできる。
【０１４７】
【数２８】
0005973652.tif 000030
【０１４８】
【数２９】
0005973652.tif 000031
【０１４９】
或いは、このようなサブ検索領域間のオフセットを複数の変数によって調節する面倒さを避けるために、Ｍｐ（Ｌ）の代わりに、特定集成レベル上のＥＰＤＣＣＨ候補の個数を、集成レベル１のＥＰＤＣＣＨ候補の個数或いは最も多いＥＰＤＣＣＨ候補の個数或いは最も少ないＥＰＤＣＣＨ候補の個数のような代表値を選定して一括的に使用するか、オフセット自体を、３、４、或いは６のように十分に大きい一定の値にサブ検索領域インデックスｐを掛けた値に設定しても、複数のサブ検索領域のＥＰＤＣＣＨ候補が重なり合うことを防止することができる。
【０１５０】
上述した局地的ＥＰＤＣＣＨと分散的ＥＰＤＣＣＨの場合をまとめて説明すると、一つの共通のオフセット値を選定して両方の場合に適用することも可能である。端末に２つのサブ検索領域が設定された場合、全体ＥＰＤＣＣＨ候補は２つのサブ検索領域に適切に分配されなければならない。しかし、既存ＰＤＣＣＨのための検索領域では交差搬送波スケジューリングが適用されない場合、一つの集成レベルで最大６個のＥＰＤＣＣＨ候補が存在したため、２つのサブ検索領域が存在する状況で２つのサブ検索領域に均一にＥＰＤＣＣＨ候補を分配すると、大部分の場合、１つの集成レベルでは一つのサブ検索領域に最大３個のＥＰＤＣＣＨ候補が存在するようになる。
【０１５１】
したがって、サブ検索領域間のオフセットを３に、すなわち、Ｙｋ、ｐ＝Ｙｋ+３ｐに設定すると、これを、多くの場合の局地的ＥＰＤＣＣＨと分散的ＥＰＤＣＣＨにおいて、ＥＰＤＣＣＨ候補が重なり合うことを回避できる簡単な方法として用いることができる。この時、分散的ＥＰＤＣＣＨの場合は、交差搬送波スケジューリングによるＥＰＤＣＣＨ候補増加に対応するために、Ｙｋ，ｐ＝Ｙｋ+３・Ｂ・ｐのように変形された形態のオフセットを定義することもできる。ここで、Ｂは、当該コンポーネント搬送波でスケジューリングするコンポーネント搬送波の個数を表す。
【０１５２】
図１９は、本発明の一実施例に係る通信装置のブロック構成図である。
【０１５３】
図１９を参照すると、通信装置１９００は、プロセッサ１９１０、メモリー１９２０、ＲＦモジュール１９３０、ディスプレイモジュール１９４０、及びユーザインターフェースモジュール１９５０を備えている。
【０１５４】
通信装置１９００は、説明の便宜のために例示されたもので、一部のモジュールは省略されてもよい。また、通信装置１９００は、必要なモジュールをさらに備えてもよい。また、通信装置１９００において、一部のモジュールはより細分化したモジュールにしてもよい。プロセッサ１９１０は、図面を参照して例示した本発明の実施例に係る動作を実行するように構成される。具体的に、プロセッサ１９１０の詳細な動作は、図１乃至図１８に記載された内容を参照されたい。
【０１５５】
メモリー１９２０は、プロセッサ１９１０に接続し、オペレーティングシステム、アプリケーション、プログラムコード、データなどを格納する。ＲＦモジュール１９３０は、プロセッサ１９１０に接続し、基底帯域信号を無線信号に変換したり、無線信号を基底帯域信号に変換する機能を担う。そのために、ＲＦモジュール１９３０は、アナログ変換、増幅、フィルタリング及び周波数アップ変換、又はこれらの逆過程を行う。ディスプレイモジュール１９４０は、プロセッサ１９１０に接続し、様々な情報をディスプレイする。ディスプレイモジュール１９４０は、次に制限されるものではないが、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザインターフェースモジュール１９５０は、プロセッサ１９１０に接続し、キーパッド、タッチスクリーンなどのような周知のユーザインターフェースの組合せで構成することができる。
【０１５６】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部Ｋ構成や特徴は、他の実施例に含まれてもよく、他の実施例の対応する構成又は特徴に取り替わってもよい。特許請求の範囲において明示的な引用関係にない請求項を結合して実施例を構成したり、出願後の補正によって新しい請求項として含めたりしてもよいことは明らかである。
【０１５７】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現では、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１５８】
ファームウェアやソフトウェアによる具現では、本発明の一実施例は、以上で説明された機能又は動作を実行するモジュール、手順、関数などの形態として具現されてもよい。ソフトウェアコードは、メモリーユニットに記憶され、プロセッサにより駆動可能である。メモリーユニットは、プロセッサの内部又は外部に設けられ、公知の様々な手段によってプロセッサとデータを交換することができる。
【０１５９】
本発明は、本発明の特徴から逸脱しない範囲で別の特定の形態に具体化されてもよいことが当業者にとっては自明である。したがって、上記の詳細な説明は、いずれの面においても制限的に解釈してはならず、例示的なものとして考慮しなければならない。本発明の範囲は、添付の請求項の合理的な解釈によって決定しなければならず、本発明の等価的範囲内における変更はいずれも本発明の範囲に含まれる。
【産業上の利用可能性】
【０１６０】
上述のような無線通信システムにおいて下りリンク制御チャネルのための検索領域を設定する方法及びそのための装置は、３ＧＰＰ ＬＴＥシステムに適用される例を中心にして説明したが、３ＧＰＰ ＬＴＥシステムの他、様々な無線通信システムにも適用することができる。
【図１】
0005973652.tif 000038
【図２】
0005973652.tif 000039
【図３】
0005973652.tif 000040
【図４】
0005973652.tif 000041
【図５】
0005973652.tif 000042
【図６】
0005973652.tif 000043
【図７】
0005973652.tif 000044
【図８】
0005973652.tif 000045
【図９】
0005973652.tif 000046
【図１０】
0005973652.tif 000047
【図１１】
0005973652.tif 000048
【図１２】
0005973652.tif 000049
【図１３】
0005973652.tif 000050
【図１４】
0005973652.tif 000051
【図１５】
0005973652.tif 000052
【図１６】
0005973652.tif 000053
【図１７】
0005973652.tif 000054
【図１８】
0005973652.tif 000055
【図１９】
0005973652.tif 000056